(57)【要約】【課題】検索者の意向に沿い、システム作業の利便性が良く、さらに、電算機にかかる計算の負荷が低い文書検索方法を提供する。【解決手段】検索対象文書群から文書を検索する文書検索方法であって、指定されたリファレンス文書群に含まれる少なくとも一つの文書から少なくとも一つのセクションおよび／または少なくとも一つの単語を抽出し、前記セクションおよび／または前記単語を有する文書を検索対象文書群から検索する文書検索方法。好ましくは、上記の検索対象文書群が、特許明細書および／または特許明細書を要約した文書からなる群である上記記載の文書検索方法。【選択図】　　　なし【特許請求の範囲】
【請求項１】
検索対象文書群から文書を検索する文書検索方法であって、指定されたリファレンス文書群に含まれる少なくとも一つの文書から少なくとも一つのセクションおよび／または少なくとも一つの単語を抽出し、前記セクションおよび／または前記単語を有する文書を検索対象文書群から検索することを特徴とする文書検索方法。
【請求項２】
少なくとも一つのセクションおよび／または少なくとも一つの単語が、リファレンス文書群に含まれるすべての文書または少なくとも２つの文書に共通するセクションおよび／または単語であることを特徴とする請求項１記載の文書検索方法。
【請求項３】
少なくとも一つのセクションおよび／または少なくとも一つの単語が、リファレンス文書群に含まれるすべての文書または少なくとも２つの文書に共通するセクションおよび／または単語であって、前記セクションおよび／または前記単語の抽出が、リファレンス文書群に含まれるすべての文書または少なくとも２つの文書を、少なくとも一つのセクションおよび／または少なくとも一つの単語に分割した後に行われることを特徴とする請求項２記載の文書検索方法。
【請求項４】
少なくとも一つのセクションおよび／または少なくとも一つの単語の抽出において、少なくとも一つのセクションおよび／または少なくとも一つの単語を、リファレンス文書群に含まれるすべての文書または少なくとも２つの文書に共通するセクションおよび／または単語と、リファレンス文書群に含まれるいずれの文書にも共通しないセクションおよび／または単語とに区別して行なわれることを特徴とする請求項１記載の文書検索方法。
【請求項５】
少なくとも一つのセクションおよび／または少なくとも一つの単語が、リファレンス文書群に含まれるいずれの文書にも共通しないセクションおよび／または単語であって、複数個のいずれの文書にも共通しないセクションおよび／または単語を、指定されたリファレンス文書群に含まれる少なくとも一つの文書から、抽出することを特徴とする請求項１記載の文書検索方法。
【請求項６】
少なくとも一つのセクションおよび／または少なくとも一つの単語が、リファレンス文書群に含まれるすべての文書または少なくとも２つの文書に共通するセクションおよび／または単語であって、前記セクションおよび／または前記単語の抽出が、リファレンス文書群を減じることにより行われることを特徴とする請求項１記載の文書検索方法。
【請求項７】
検索対象文書群および／またはリファレンス文書群がＨＴＭＬ言語によって作成された文書からなる群であることを特徴とする請求項１記載の文書検索方法。
【請求項８】
検索対象文書群が、特許明細書および／または特許明細書を要約した文書からなる群であることを特徴とする請求項１記載の文書検索方法。
【発明の詳細な説明】
【０００１】
【発明の属する技術分野】
本発明は、文書検索方法に関するものである。さらに詳細には、検索者の意向に沿い、システム作業の利便性が良く、さらに、電算機にかかる計算の負荷が低い文書検索方法に関するものである。
【０００２】
【従来の技術】
最近では、文書が電子化され、文書がインターネットを介して配信されるようになって来た。そのため、電子化された文書やインターネットを介して配信された文書を検索する方法が必要になって来ている。
電子化された文書やインターネットを介して配信された文書の検索方法としては、検索語や検索文字列を並べ、また、ＡＮＤ／ＯＲ論理演算子で組み合わせた検索条件を検索者が指定して、その検索条件に合致する文書を検索する方法や、検索条件に自然言語文や文書の一部あるいは全体を指定する文書検索方法が知られている。そして、それらの検索方法で得られた検索結果は、検索された文書の一覧として表示されたり、また、必要に応じて検索者が指定した文書を参照として表示されたりする。
【０００３】
上述のような文書検索方法で得られる検索結果は、検索者の検索条件を指向したものではない場合があるので、検索者の検索条件を指向した検索結果を得るために、文書検索方法の改良が行われている。
【０００４】
例えば、特開２０００−１７２７１７号公報には、不要な文書が検索される割合を少なくし、また絞り込み検索を繰り返した場合の検索精度を向上させることができる文書検索方法として、検索対象文書群を構成する検索対象文書の特徴量を用いて、指定された参照文書に類似する文書を前記検索対象文書群から検索する文書検索方法において、前記参照文書と検索対象文書群に出現する単語が文書間の類似度に与える影響の大きさを単語寄与度として数値化し、該単語寄与度を要素とするベクトルデータを前記検索対象文書の特徴量とすることを特徴とする文書検索方法が記載されている。
【０００５】
しかし、上記公報に記載の文書検索方法においては、単語寄与度を数値化する手法が煩雑な計算を伴い、電算機にかかる計算の負荷が重くなり、迅速に検索結果が得られない場合があるため、検索者の意向に沿う文書検索方法であって、システム作業の利便性を改良し、さらに、電算機にかかる計算の負荷を下げることが求められていた。
【０００６】
【特許文献１】
特開２０００−１７２７１７号公報
【０００７】
【発明が解決しようとする課題】
本発明の目的は、検索者の意向に沿い、システム作業の利便性が良く、さらに、電算機にかかる計算の負荷が低い文書検索方法を提供することにある。
【０００８】
【課題を解決するための手段】
本発明者等は、かかる実情に鑑み、鋭意検討の結果、本発明が上記課題を解決できることを見出し、本発明を完成させるに至った。
すなわち、本発明は、
検索対象文書群から文書を検索する文書検索方法であって、指定されたリファレンス文書群に含まれる少なくとも一つの文書から少なくとも一つのセクションおよび／または少なくとも一つの単語を抽出し、前記セクションおよび／または前記単語を有する文書を検索対象文書群から検索する文書検索方法に係るものである。
以下、本発明について詳細に説明する。
【０００９】
【発明の実施の形態】
本発明で用いられる文書とは、言語単位の一つで、言葉で表現する際の完結した内容を表す単位をいい、文字で表す場合には少なくとも句点「。」やピリオド「．」で区切られた最小の単位を１つ以上含むものであって、電気通信回線を利用するために電子化されているものである。
【００１０】
本発明で用いられる検索対象文書群とは、少なくとも２つの文書を含む群である。例えば、インターネット（Ｗｏｒｌｄ　Ｗｉｄｅ　Ｗｅｂ：以下、「ＷＷＷ」と略す。）やイントラネットを介して、一般的にはサーバーと呼ばれる自動公衆送信装置上の記録媒体に記録されている文書である。好ましくは文書中に組み込まれたタグと呼ばれる区切りなどを用いて、文章の構造を表現することができる文書である。より好ましくはＳＧＭＬ文書、ＸＭＬ文書またはＨＴＭＬ文書である。
【００１１】
ＳＧＭＬ（Ｓｔａｎｄａｒｄ　Ｇｅｎｅｒａｌｉｚｅｄ　Ｍａｒｋｕｐ　Ｌａｎｇｕａｇｅ）文書とは、ＩＳＯ８８７９やＪＩＳ　Ｘ　４１５１などに規格されている通り、（文書タイトル，段落，図，表，章，節，項などの）文書要素の（親子関係，出現順序，出現回数などの）構造を記述したＤＴＤファイルを作成し、ＤＴＤが示す構造に基づき、（例えば＆ｌｔ；ｔｉｔｌｅ＆ｇｔ；と＆ｌｔ；／ｔｉｔｌｅ＆ｇｔ；などの）タグという文書要素を示すテキストを使用し、文書を記述する文書記述言語で表記された文書である。
【００１２】
ＸＭＬ（ｅＸｔｅｎｓｉｂｌｅ　Ｍａｒｋｕｐ　Ｌａｎｇｕａｇｅ）文書とは、Ｗ３Ｃ（ワールドワイドウェブコンソーシアム）にて定められた規格でＤＴＤが示す構造に基づき、タグという文書要素を示すテキストを使用し、文書を記述する文書記述言語で表記された文書である。
【００１３】
ＨＴＭＬ（ＨｙｐｅｒＴｅｘｔ　Ｍａｒｋｕｐ　Ｌａｎｇｕａｇｅ）文書の詳細はＲＦＣ−１８６６などの文献に詳述されている方法により表記された文書である。
【００１４】
本発明で用いられるリファレンス文書群とは、検索者が検索対象文書群から抽出したい文書を探し出すために参考とする文書を含む群である。リファレンス文書群に含まれる文書は、単一であってもよく、複数であってもよい。
【００１５】
リファレンス文書群として、本発明の文書検索方法によって検索された文書を含む群を用いてもよい。そして、リファレンス文書群に、本発明の文書検索方法により検索された文書やその他の文書を、さらに加えてもよい。
【００１６】
本発明で用いられるセクションとは、文書を主語、述語、名詞（句）、動詞（句）、形容詞（句）、副詞（句）または接頭語等を含んだものである。セクションは、複数の文節を含むものであってもよく、主語と動詞をひとまとまりにしたものであってもよい。
【００１７】
例えば、日本語の「彼は海外旅行に出かける。」という文において、「彼は」と「海外旅行に」と「出かける」をセクションとしてもよく、また「彼は」と「海外旅行に出かける」をセクションとしてもよく、そして「彼は海外旅行に出かける」をセクションとしてもよい。英語の“Ｈｅ　ｇｏｅｓ　ｔｏ　ｔｈｅ　ａｂｒｏａｄ．”という文の場合、“Ｈｅ”と“ｇｏｅｓ　ｔｏ”と“ｔｈｅ　ａｂｒｏａｄ”をセクションとしてもよく、また“Ｈｅ”と“ｇｏｅｓ　ｔｏ　ｔｈｅ　ａｂｒｏａｄ”をセクションとしてもよく、そして“Ｈｅ　ｇｏｅｓ　ｔｏ　ｔｈｅ　ａｂｒｏａｄ”をセクションとしてもよい。
【００１８】
本発明で用いられる単語とは、文書の最小単位で文法上機能を有するものである。好ましくは文節単位で抽出されたセクションから助詞、助動詞、前置詞、冠詞等を取り除いたものである。具体的には、上記のセクション「彼は」中の「彼」が単語であり、セクション“ｇｏｅｓ　ｔｏ”中の“ｇｏｅｓ”が単語である。
【００１９】
抽出されたセクションおよび／または単語は必要に応じ、別のセクション、単語、数字あるいはコードに置換することができる。例えば、「彼は海外旅行に出かける。」という文において、「彼」を０１に、「海外旅行」を０２に「出かける」を０３に置換することができる。
【００２０】
抽出されるセクションおよび／または単語として、好ましくは、リファレンス文書群に含まれる文書の全てまたは少なくとも２つに共通するセクションおよび／または単語である。さらに、抽出されるセクションおよび／または単語の数は、１個でもよく、少なくとも２個でもよい。例えば、「私は国内旅行に出かける。」という文と、「彼は海外旅行に出かける。」という文においては、セクションおよび／または単語として、「旅行」と「出かける」を抽出することができる。
【００２１】
本発明で用いられるセクションおよび／または単語の抽出は、リファレンス文書群に含まれる文書に対して行われる。セクションおよび／または単語の抽出として、好ましくは指定されたリファレンス文書群に含まれる文書をセクションおよび／または単語に分割してから抽出する方法である。分割とは、文書を文節で区切ることをいう。例えば、「彼は海外旅行に出かける。」という文においては、「彼は」、「海外」、「旅行に」および「出かける」に分割することがきる。
【００２２】
本発明に用いられるセクションおよび／または単語の抽出の方法として、好ましくは、リファレンス文書群中のセクションおよび／または単語を、リファレンス文書群に含まれるすべての文書または少なくとも２つの文書に共通するセクションおよび／または単語と、リファレンス文書群に含まれるいずれの文書にも共通しないセクションおよび／または単語とに区別する方法である。前記の区別する方法としては、例えば、２進数、別のセクション、単語、数字またはコードに置換する方法が挙げられる。好ましくは、２進数を用いて置換する方法であり、例えば、「私は国内旅行に出かける。」という文と、「彼は海外旅行に出かける。」という文の場合、「旅行」と「出かける」を“１”に置換し、その他のセクションおよび／または単語を“０”に置換することができる。
【００２３】
また、セクションおよび／または単語の抽出は、リファレンス文書群に含まれるすべての文書または少なくとも２つの文書に共通するセクションおよび／または単語と、リファレンス文書群に含まれるいずれの文書にも共通しないセクションおよび／または単語とを区別した後に行なってもよい。また、セクションおよび／または単語の数は、１個でもよく、少なくとも２個でもよい。
【００２４】
また、リファレンス文書群に出現する単語をあらかじめ全て抽出しておき（以下「総括全文書単語」という。）、総括全文書単語が各文書単語に存在するか否かを比較する方法が挙げられる（以下比較された総括全文書単語を「文書対応単語」という。）。そして、電子計算機の処理速度を向上させる観点から、好ましくは存在の存否を２進数で置換する方法である。例えば、総括全文書単語が各文書単語に同一または類似ならば数字の１を割り当て、総括文書単語が各文書単語に非類似ならば数字の０を割り当てる。なお、割り当てる数字である１と０を逆にしてもよい。また、必要に応じて、存在の存否を、２進数以外の方法、例えば、１６進数等で置換することもできる。
【００２５】
前記の「同一」とは、表記される単語の文字が完全に一致することを意味する。例えば、総括全文書単語中の１つの単語が、各文書単語中の１つの単語と表記される文字が完全に一致することをいう。
前記の「類似」とは、表記される単語の文字は完全には一致しないが、外観、称呼、概念上から同様の意味に判断することができることを意味する。具体的には「私」と「私し」は、私という外観が同一であるため類似と判断することができる。また、「渡辺」と「渡邉」は「ワタナベ」と称呼が同一であるため類似と判断することができる。そして、「私」と「俺」は一人称単数という文法上の概念から同一であるため類似と判断することができる。さらに、「行く」と“ｇｏ”と“ｇｏｅｓ”と“ｗｅｎｔ”と“ｇｏｎｅ”と“ｇｏｉｎｇ”は言語の違いや文法上の活用から表記について同一性はないが、「行く」という概念上、同一であるため類似と判断することができる。
【００２６】
また、必要に応じて、類似を判断するために、例えば、「わたし」に類似する単語として「私」、「俺」、「あたい」等を、予め登録しおくこともできる。
【００２７】
リファレンス文書群に含まれる文書のいずれにも共通するセクション又は単語がないときは、少なくとも２つ以上のリファレンス文書群から、セクションおよび／または単語を抽出することができる。抽出されるセクションおよび／または単語の数は、１個でもよく、少なくとも２個でもよい。
【００２８】
以下に、具体例として、リファレンス文書群に含まれる文書が「私は国内旅行に出かける。」（以下「文書１」とする。）と「彼は海外旅行に出かける。」（以下「文書２」とする。）である場合を用いて説明する（下記表１）。
【表１】
2004005405.tif 000002
【００２９】
（１）初めに、文書１を「私は／国内／旅行に／出かける／」というセクションに分割し、文書２を「彼は／海外／旅行に／出かける」というセクションに分割する（下記表２）。
【表２】
2004005405.tif 000003
【００３０】
（２）次に、文書１から単語として「私、国内、旅行、出かける」（以下「各文書単語１」という。）を抽出し、文書２から単語として「彼、海外、旅行、出かける」（以下「各文書単語２」という。）を抽出する（下記表３）。
【表３】
2004005405.tif 000004
【００３１】
従って、総括文書単語は、各文書単語１と各文書単語２に重複して出現する単語を除いて、「私、彼、国内、海外、旅行、出かける」となる（下記表４）。このとき、好ましくは総括全文書単語中で類似する単語同士を１つの単語して取り扱ってもよい。
【００３２】
（３）次に、総括文書単語が各文書単語に存在するか否かを比較する。存否は比較する単語同士の同一性で判断することができる。例えば、総括文書単語と各文書単語１に存在する単語は「私、国内、旅行、出かける」である。
（４）次に、総括文書単語中、各文書単語１に存在する同一の単語に１を割り当て、非類似の単語に０を割り当てる（以下割り当てられた文書対応単語を「文書置換数」という。）。従って、下記表４に示すとおり、総括文書単語「私、彼、国内、海外、旅行、出かける」は「１，０，１，０，１，１」（文書１置換数）に置換される。総括全文書単語を各文書単語２に対して同様の処理を行うと「０，１，０，１，１，１」（文書２置換数）に置換される。
【表４】
2004005405.tif 000005
【００３３】
（５）次に、リファレンス文書群を構成する各文書に共通するセクション又は単語を抽出する。このときリファレンス文書群を構成する各文書全てまたは一部の文書に共通するセクション又は単語を抽出することができる。上述した例では、全ての文書に共通する単語を抽出した。従って、「旅行」「出かける」がリファレンス文書群を構成する各文書に共通する単語となる。
【００３４】
２進数に置換した場合に各文書に共通する単語を抽出する方法を以下に示す。ただし、以下に示す具体例はリファレンス文書群を構成する各文書全ての文書に共通するセクション又は単語を抽出する場合である。上述の具体例においては、文書１置換数「１，０，１，０，１，１」と文書２置換数「０，１，０，１，１，１」の１番目同士および２番目同士等を掛け算する。結果は「０，０，０，０，１，１」（以下置換積という。）となる。結果の数字“１”に対応する単語は「旅行」と「出かける」である。従って、「旅行」と「出かける」が各文書に共通する単語である（上記表４）。
【００３５】
また、好ましくは必要に応じて、文書置換数の和（以下「置換和」という。）を求め，ある重みを付けた順番に対応する単語を表示することができる。また好ましくは必要に応じて、検索者が表示された単語の中からリファレンス文書群に共通した単語を選択することができる。上述の具体例においては、文書置換数の和は「１，１，１，１，２，２」なり、例えば、「旅行・出かける　２」「私・彼・国内・海外　１」のように表示することができる。さらに好ましく、表示方法は２次元平面上で色の濃淡とすることができる。また、リファレンス文書群に共通する単語は、これらの結果から検索者が選択してもよい。
【００３６】
また、好ましくは必要に応じて、２進数で置換された文書置換数の１番目から最後の番まで和を求めることができる。上述の具体例においては、文書１置換数は「１，０，１，０，１，１」であるから、それらの和は４である。また、文書２置換数は「０，１，０，１，１，１」であるから、それらの和は４である。
【００３７】
置換積が“１”にならなかった場合、または、ファレンス文書群に含まれる文書のいずれにも共通するセクションおよび／または単語がなかった場合に、リファレンス文書群に含まれる文書から、少なくとも２個のセクションおよび／または単語を抽出する方法について、リファレンス文書が、「私は国内旅行に出かける。」（文書１）、「彼は海外旅行に出かける。」（文書２）および「あなたは海外へ赴任する。」（文書３）である場合について説明する。
文書３をセクションに分割し、「あなたは／海外へ／赴任する。」というように分割した。分割されたセクションから単語を抽出した結果、各文書単語３は「あなた」「海外」「赴任する」となった。前述の方法と同様の方法で文書１から文書３までの総括全文書単語、および文書置換数、文書置換数の和、置換積を求めた。結果を表５に示す。
【００３８】
【表５】
2004005405.tif 000006
【００３９】
この場合、リファレンス文書群を構成する文書の全てに共通するセクションおよび／または単語は、存在しないので、置換積も１とならない。この場合に抽出されるセクションおよび／または単語は、少なくとも２つのリファレンス文書に存在するものでなければならない。例えば、表５の場合、“海外”は文書２と文書３に存在し、“旅行”は文書１と文書２に存在するので、“海外”と“旅行”を抽出することができる。しかし、例えば、“私”と“あなた”は、少なくとも２つのリファレンス文書に存在するものではないので、“私”と“あなた”を抽出することはできない。
【００４０】
セクションおよび／または単語が、リファレンス文書群に含まれる文書のいずれにも共通しないときは、必要に応じ、リファレンス文書群を減じることができる。
【００４１】
リファレンス文書を減じて、セクションおよび／または単語を抽出する方法について、リファレンス文書が、「私は国内旅行に出かける。」（文書１）、「彼は海外旅行に出かける。」（文書２）および「あなたは海外へ赴任する。」（文書３）である場合について説明する。文書１から文書３までの総括全文書単語、および文書置換数、文書置換数の和、置換積を求める方法は前述の方法と同様であり、その結果は前記表５のとおりである。
【００４２】
この場合、リファレンス文書群を構成する文書の全てに共通するセクションおよび／または単語は、存在しないので、置換積も１とならない。そこで、和の一番少ない文書３をリファレンス文書群から削除し、文書１と文書２のみでリファレンス文書群を構成する各文書に共通するセクション又は単語を抽出する。また、必要に応じて、文書置換数の和を表示してもよく、削除する文書の選択は、検索者が行なってもよい。
【００４３】
本発明の方法によって、リファレンス文書群に含まれる文書に共通するセクションおよび／または単語を抽出し、前記セクションおよび／または前記単語を有する文書を検索対象文書群から検索することができる。上述の具体例１においては、「旅行」と「出かける」という単語を含む文書を、例えば、インターネットを介してサーバーから検索することができる。
【００４４】
また、例えば、文書群をデータベースとしたインターネット上の検索エンジンに、本発明記載の文書検索方法を行う機能を持たせる場合、必要に応じて、ＨＴＭＬ言語により作成された検索対象文書群および／または文書を用いることができる。
【００４５】
検索された文書からなる群をデータベースにすることができ、磁気テープ、フロッピー（登録商標）ディスク、磁気記録媒体、光記録媒体等の公知の記録媒体に記録することができる。
【００４６】
本発明の文書検索方法は、プログラムの形式で記録媒体に記録される。従って、記録媒体から読み出された文書検索プログラムをコンピュータにインストールして、例えば、コンピュータ等の電子計算機等で本発明の文書検索方法を用いることができる。
【００４７】
また、例えば、本発明の文書検索方法がプログラム形式でインストールした複数のコンピュータを用意し、それぞれのコンピュータを統括するサーバーと繋げ、複数の検索者での利用を可能する文書検索システムにしてもよい。
【００４８】
本発明の文書検索方法において、検索対象文書群として好ましくは特許明細書または特許明細書を要約した文書を含む群である。ある技術分野における特許調査を行う際は、通常、市販の特許データベースを使用し、そして、多くの場合、調査を行う検索者は、調査対象の文書と技術分野が同じである特許明細書または特許明細書を要約した文書を所有しているので、検索者が所有する特許明細書または特許明細書を要約した文書を含む群をリファレンス文書群とすることが好ましい。
【００４９】
以下、実施例を用いて本発明を説明するが、本発明はこの実施例に限定されるものではない。
【００５０】
【実施例】
（検索対象文書群）
ポリオレフィンの発泡技術に関する特許調査において、検索対象文書群として、Ｄｅｒｗｅｎｔ社製データベース　Ｄｉａｌｏｇ　ＷＰＩ　Ｆｉｌｅ３５２を用いた。
【００５１】
（リファレンス文書群）
以下の文書を含むリファレンス文書群を用いた。
（１）特表平５−５０６８７５号、（２）特開平７−２６６４１３号、（３）特開平６−１６６０８１号、（４）特開平８−０７３６４２号、（５）特開平８−０８１５９０号、（６）特開平１１−１８１１７８号、（７）特開平１１−２４０９７６号、（８）特開平７−１０９３７１号、（９）特開平９−３０９９６７号
【００５２】
上記のリファレンス文書群に含まれる文書（１）〜（９）の内容を以下に示した。
（１）特表平５−５０６８７５号および（２）特開平７−２６６４１３号
Ｔｈｅｒｍｏ　ｆｏｒｍａｂｌｅ　ｐｏｌｙｐｒｏｐｙｌｅｎｅ　ｆｏａｍ　ｓｈｅｅｔ
（３）特開平６−１６６０８１号
Ｐｏｌｙｐｒｏｐｙｌｅｎｅ　ｆｏａｍ　ｐａｃｋａｇｉｎｇ　ｐｒｏｄｎ．
Ｔｈｅ　ｐｒｅｐｎ．ｏｆ　ｐｏｌｙｐｒｏｐｙｌｅｎｅ　ｆｏａｍ　ｓｈｅｅｔ
（４）特開平８−０７３６４２号
ｃｏｍｐｒｉｓｅｓ　ｐｏｌｙｐｒｏｐｙｌｅｎｅ　ｔｙｐｅ　ｒｅｓｉｎ　ａｖｏｉｄｉｎｇ　ｇｅｌ
Ｉｔ　ｈａｓ　ａｎ　ｅｘｐａｎｓｉｏｎ　ｒａｔｉｏ　ｏｆ　５−２００　ｔｉｍｅｓ
（５）特開平８−０８１５９０号
ｗｉｔｈ　ｇｏｏｄ　ｅｘｐａｎｄａｂｉｌｉｔｙ　ｃｏｍｐｒｉｓｉｎｇ　ｐｏｌｙｐｒｏｐｙｌｅｎｅ　ｔｙｐｅ
（６）特開平１１−１８１１７８号
Ｐｏｌｙｏｌｅｆｉｎ　ｒｅｓｉｎ　ｃｏｍｐｏｓｉｔｉｏｎ　ｕｓｅｄ
ｍａｔｅｒｉａｌ　ｉｓ　ｆｏｒｍｅｄ　ｂｙ　ｆｏａｍｉｎｇ　ｔｈｅ　ｐｏｌｙｏｌｅｆｉｎ　ｒｅｓｉｎ
（７）特開平１１−２４０９７６号
Ｐｏｌｙｏｌｅｆｉｎ　ｒｅｓｉｎ　ｆｏｒ　ｆｏａｍｉｎｇ
（８）特開平７−１０９３７１号
Ｆｏａｍｉｎｇ　ｃｏｍｐｓｎｓ．　ｏｆ　ｐｏｌｙｏｌｅｆｉｎｓ
（９）特開平９−３０９９６７号
Ｍａｎｕｆａｃｔｕｒｅ　ｏｆ　ａ　ｐｏｌｙｐｒｏｐｙｌｅｎｅ　ｔｙｐｅ　ｒｅｓｉｎ　ｆｏａｍ
【００５３】
次に、文書（１）〜（９）を、以下のとおり、セクションに分割した。「／」がセクションに分割した場所である。
（１）特表平５−５０６８７５号および（２）特開平７−２６６４１３号
Ｔｈｅｒｍｏ−ｆｏｒｍａｂｌｅ／ｐｏｌｙｐｒｏｐｙｌｅｎｅ／ｆｏａｍ／　ｓｈｅｅｔ／
（３）特開平６−１６６０８１号
Ｐｏｌｙｐｒｏｐｙｌｅｎｅ／ｆｏａｍ／ｐａｃｋａｇｉｎｇ／ｐｒｏｄｎ．／
Ｔｈｅ　ｐｒｅｐｎ．／ｏｆ　ｐｏｌｙｐｒｏｐｙｌｅｎｅ／ｆｏａｍ／ｓｈｅｅｔ／
（４）特開平８−０７３６４２号
ｃｏｍｐｒｉｓｅｓ／ｐｏｌｙｐｒｏｐｙｌｅｎｅ／ｔｙｐｅ／ｒｅｓｉｎ／ａｖｏｉｄｉｎｇ／　ｇｅｌ／
Ｉｔ／ｈａｓ／ａｎ　ｅｘｐａｎｓｉｏｎ／　ｒａｔｉｏ／ｏｆ　５−２００　ｔｉｍｅｓ／
（５）特開平８−０８１５９０号
ｗｉｔｈ／　ｇｏｏｄ／　ｅｘｐａｎｄａｂｉｌｉｔｙ／ｃｏｍｐｒｉｓｉｎｇ／　ｐｏｌｙｐｒｏｐｙｌｅｎｅ／ｔｙｐｅ／
（６）特開平１１−１８１１７８号
Ｐｏｌｙｏｌｅｆｉｎ／　ｒｅｓｉｎ／ｃｏｍｐｏｓｉｔｉｏｎ／ｕｓｅｄ／
ｍａｔｅｒｉａｌ　ｉｓ／　ｆｏｒｍｅｄ／ｂｙ　ｆｏａｍｉｎｇ／ｔｈｅ　ｐｏｌｙｏｌｅｆｉｎ／ｒｅｓｉｎ／
（７）特開平１１−２４０９７６号
Ｐｏｌｙｏｌｅｆｉｎ／ｒｅｓｉｎ／ｆｏｒ　ｆｏａｍｉｎｇ／
（８）特開平７−１０９３７１号
Ｆｏａｍｉｎｇ／　ｃｏｍｐｓｎｓ．／　ｏｆ　ｐｏｌｙｏｌｅｆｉｎｓ／
（９）特開平９−３０９９６７号
Ｍａｎｕｆａｃｔｕｒｅ／ｏｆ　ａ　ｐｏｌｙｐｒｏｐｙｌｅｎｅ／ｔｙｐｅ／ｒｅｓｉｎ／　ｆｏａｍ／
【００５４】
次に、セクションに分割されたリファレンス文書群に含まれる文書から単語を抽出した。以下に、文書（１）〜（９）において抽出された単語を、各文書単語１〜８と名付け、示した。
各文書単語１
Ｔｈｅｒｍｏ、ｆｏｒｍａｂｌｅ、ｐｏｌｙｐｒｏｐｙｌｅｎｅ、ｆｏａｍおよびｓｈｅｅｔ
各文書単語２
Ｐｏｌｙｐｒｏｐｙｌｅｎｅ、ｆｏａｍ、ｐａｃｋａｇｉｎｇ、ｐｒｏｄｎ、ｐｒｅｐｎおよびｓｈｅｅｔ
各文書単語３
ｃｏｍｐｒｉｓｅｓ、ｐｏｌｙｐｒｏｐｙｌｅｎｅ、ｒｅｓｉｎ、ａｖｏｉｄｉｎｇ、ｇｅｌ、ｅｘｐａｎｓｉｏｎ、ｒａｔｉｏおよび　ｔｉｍｅｓ
各文書単語４
ｇｏｏｄ、ｅｘｐａｎｄａｂｉｌｉｔｙ、ｃｏｍｐｒｉｓｉｎｇ、ｐｏｌｙｐｒｏｐｙｌｅｎｅおよびｔｙｐｅ
各文書単語５
Ｐｏｌｙｏｌｅｆｉｎ、ｒｅｓｉｎ、ｃｏｍｐｏｓｉｔｉｏｎ、ｕｓｅｄ、ｍａｔｅｒｉａｌ、ｆｏｒｍｅｄおよびｆｏａｍｉｎｇ
各文書単語６
Ｐｏｌｙｏｌｅｆｉｎ、ｒｅｓｉｎおよびｆｏａｍｉｎｇ
各文書単語７
Ｆｏａｍｉｎｇ、ｃｏｍｐｓｎｓ．およびｐｏｌｙｏｌｅｆｉｎｓ
各文書単語８
Ｍａｎｕｆａｃｔｕｒｅ、ｐｏｌｙｐｒｏｐｙｌｅｎｅ、ｔｙｐｅ、ｒｅｓｉｎおよびｆｏａｍ
【００５５】
次に、リファレンス文書群に出現する単語の全てを抽出した。具体的には各文書単語１から８までの単語を同一・類似である単語を除いて抽出した。抽出された単語は総括文書単語である。なお、ｆｏａｍとｅｘｐａｎｄは“発泡”という概念で類似するものとし、またｐｏｌｙｏｌｅｆｉｎとｐｏｌｙｐｒｏｐｙｌｅｎｅは“高分子”という概念で類似するものとした。なお、１つの概念に対応する類似する単語は予め登録されていたものである。以下に、総括全文書単語を示した。
総括全文書単語
Ｔｈｅｒｍｏ、ｆｏｒｍａｂｌｅ、ｐｏｌｙｐｒｏｐｙｌｅｎｅ、ｆｏａｍ、ｓｈｅｅｔ、ｐａｃｋａｇｉｎｇ、ｐｒｏｄｎ、ｐｒｅｐｎ　、ｃｏｍｐｒｉｓｅｓ、ｒｅｓｉｎ、ａｖｏｉｄｉｎｇ、ｇｅｌ、ｒａｔｉｏ、ｔｉｍｅｓ、ｇｏｏｄ、ｕｓｅｄ、ｍａｔｅｒｉａｌ　、ｃｏｍｐｓｎｓ、Ｍａｎｕｆａｃｔｕｒｅ、ｔｙｐｅ
【００５６】
各文書単語１から８において、各単語が総括文書単語に同一または類似であれば１を割り当て、同一でないまたは類似ではないならば０を割り当てた。以下に、各文書単語１〜８についての結果を示した。
（１）各文書単語１に対する結果（上段：文書１対応単語　下段：文書１置換数）
2004005405.tif 000007
2004005405.tif 000008
2004005405.tif 000009
【００５７】
（２）各文書単語２に対する結果（上段：文書２対応単語　下段：文書２置換数）
2004005405.tif 000010
2004005405.tif 000011
2004005405.tif 000012
【００５８】
（３）各文書単語３に対する結果（上段：文書３対応単語　下段：文書３置換数）
2004005405.tif 000013
2004005405.tif 000014
2004005405.tif 000015
【００５９】
（４）各文書単語４に対する結果（上段：文書４対応単語　下段：文書４置換数）
2004005405.tif 000016
2004005405.tif 000017
2004005405.tif 000018
【００６０】
（５）各文書単語５に対する結果（上段：文書５対応単語　下段：文書５置換数）
2004005405.tif 000019
2004005405.tif 000020
2004005405.tif 000021
【００６１】
（６）各文書単語６に対する結果（上段：文書６対応単語　下段：文書６置換数）
2004005405.tif 000022
2004005405.tif 000023
2004005405.tif 000024
【００６２】
（７）各文書単語７に対する結果（上段：文書７対応単語　下段：文書７置換数）
2004005405.tif 000025
2004005405.tif 000026
2004005405.tif 000027
【００６３】
（８）各文書単語８に対する結果（上段：文書８対応単語　下段：文書８置換数）
2004005405.tif 000028
2004005405.tif 000029
2004005405.tif 000030
【００６４】
次に、上記のそれぞれの文書置換数から置換積を求めた。具体的には、１番目の単語であるＴｈｅｒｍｏについて、各文書置換数の積を求めた。その結果、置換積として０が得られた。同様に、ｆｏｒｍａｂｌｅ，　ｐｏｌｙｐｒｏｐｙｌｅｎｅ，　ｆｏａｍ，　ｓｈｅｅｔ，　ｐａｃｋａｇｉｎｇ，　ｐｒｏｄｎ，　ｐｒｅｐｎ，　ｃｏｍｐｒｉｓｅｓ，　ｒｅｓｉｎ，　ａｖｏｉｄｉｎｇ，　ｇｅｌ，　ｒａｔｉｏ，　ｔｉｍｅｓ，　ｇｏｏｄ，　ｕｓｅｄ，　ｍａｔｅｒｉａｌ，　ｃｏｍｐｓｎｓ，　Ｍａｎｕｆａｃｔｕｒｅ，　ｔｙｐｅについて、それぞれの単語の文書置換数の積を求めた。その結果を以下に示した。
掛け算結果（置換積）
2004005405.tif 000031
2004005405.tif 000032
2004005405.tif 000033
【００６５】
置換積が１となった単語は、ｐｏｌｙｐｒｏｐｙｌｅｎｅとｆｏａｍであった。これらをリファレンス文書に含まれる文書から抽出された単語して用いて、検索対象文書群から、文書を検索することができる。
【００６６】
【発明の効果】
以上、詳述したとおり、検索者の意向に沿って、システム作業の利便性が良い本発明の文書検索方法によって、電算機にかける計算の負荷を低くして、文書を検索することができる。